(57)【特許請求の範囲】
【請求項１】
配電板と、前記配電板に載置された下層のコネクタと、前記下層のコネクタに載置された上層のコネクタと、前記配電板、前記下層のコネクタおよび前記上層のコネクタを締結する固定カバーとを有する積層タイプコネクタのガタ詰め構造であって、
前記固定カバーは、固定カバー底部と、前記固定カバー底部に連なって垂直に立ち上がった固定カバー側部と、前記固定カバー側部に連なって前記固定カバー底部に略平行な固定カバー天部と、前記固定カバー天部の前記固定カバー側部とは反対の端縁に設けられた固定カバーバンド固定部と、前記固定カバー底部の前記固定カバー側部とは反対の端縁に設けられた固定カバーバンド部とを具備し、前記固定カバー底部の前記固定カバー天部に対向する面には固定カバー底部ビークが設けられ、前記固定カバー天部の前記固定カバー底部に対向する面には固定カバー天部ビークが設けられ、
前記配電板に、前記固定カバー底部ビークが侵入可能な大きさの配電板側被侵入部が設けられ、
前記下層のコネクタと前記上層のコネクタとは同一形状で、上面には、前記固定カバー天部ビークが侵入可能な大きさのコネクタ側被侵入部が設けられ、
前記固定カバーは、前記固定カバー底部が前記配電板の下面に当接すると共に、前記固定カバー底部ビークが前記配電板の前記配電板側被侵入部に侵入し、かつ、前記固定カバー天部が前記上層のコネクタの上面に当接すると共に、前記固定カバー天部ビークが前記上層のコネクタの前記コネクタ側被侵入部に侵入した状態で、前記配電板、前記下層のコネクタおよび前記上層のコネクタの仮固定が可能に構成されている
ことを特徴とする積層タイプコネクタのガタ詰め構造。
【請求項２】
前記下層のコネクタおよび前記上層のコネクタは、
略直方体の箱体であって、一方の端面にメス端子の挿入を可能にする開口部が形成されていると共に、上面に上面開口部が形成されたハウジングと、前記ハウジングの上面に当接した際、前記上面開口部に侵入して前記メス端子を抜け出し不可能に保持する端子押さえ部が設けられたカバーと、を具備し、
前記コネクタ側被侵入部は、前記カバーに形成されていることを特徴とする請求項１に記載の積層タイプコネクタのガタ詰め構造。
【発明の詳細な説明】
【技術分野】
【０００１】
本発明は積層タイプコネクタのガタ詰め構造、特に、端子を収納する端子収納部を具備するコネクタを配電板に積層してなる積層タイプコネクタのガタ詰め構造に関する。
【背景技術】
【０００２】
従来、導電端子を収納する端子収納部を形成するハウジングを具備するコネクタを複数重ね、配電板等の支持部材に設置する構造が知られている。このとき、複数のコネクタおよび支持部材同士の「ガタつき」を防止し（以下「ガタ詰め」と称す）、相互の位置を保持するため発明が開示されている（例えば、特許文献１、２参照）。
【先行技術文献】
【特許文献】
【０００３】
【特許文献１】特開２０１３−５１０５０号公報（第７−１０頁、図１）
【特許文献２】特開２００４−３３５３０５号公報（第５−７頁、図４）
【発明の概要】
【発明が解決しようとする課題】
【０００４】
特許文献１に開示された発明（コネクタ及び、コネクタの支持部材への固定構造）は、複数の端子収容部が設けられたハウジングが、その両側壁から突出した一対のレール部と、両側壁から下方に立設され、コ字状に形成された一対のアーム部と、下壁から突出したストッパ部とを備えている。そして、支持部材に下層のコネクタを載置し、さらに、その上に同一構造の上層のコネクタを重ね、支持部材および上下に重ねられたコネクタを結束バンドによって締結（縛着）する。このとき、下層のハウジングの両側面に設けられたレール部が、上層のハウジングの両側面に設けられたアーム部に挟まり、上層のハウジングのストッパ部が、下層のハウジングの上壁の後端面に当接する。
【０００５】
したがって、支持部材と下層のハウジングとの間、あるいは下層のハウジングと上層のハウジングとの間に「ガタつき」が発生した場合、該ガタつきは結束バンドによって抑えられる（ガタ詰めされる）ことになる。
しかしながら、特許文献１に開示された発明は、結束バンドが略Ｊ字状で、先端に固定手段が設けられた短片と、短片に垂直に連なった底片と、底片に垂直（短片に平行）に連なった長片とからなっている。このため、底片を支持部材の下面に当接して、長片を折り曲げて上層のハウジングの上面に押し付け、長片の先端を固定手段によって短片に固定するものである。
このため、結束バンドによる締結作業（ガタ詰め作業）が繁雑であることから、該作業の作業性を改善したいという要請があった。
【０００６】
一方、特許文献２に開示された発明（ジョイントコネクタ）は、コネクタハウジングの一方側（前方側）には、上面に前方係止凹部が、下面に前方係止凸部が設けられ、コネクタハウジングの他方側（後方側）には、上面に後方係止凸部が、下面に後方係凹部が設けられている。また、コネクタハウジングの略中央には、上面に開口部が、下面に中央突起が設けられている。そして、下層のコネクタハウジングの前方係止凹部に上層のコネクタハウジングの前方係止凸部を斜めに押し込み、下層のコネクタハウジングと平行になるように上層のコネクタハウジングを回転して、下層のコネクタハウジングの後方係止凹部に上層のコネクタハウジングの後方係止凸部を挿入し、最後に上層のコネクタハウジングを前方に押し込むことによって、下層のコネクタハウジングに上層のコネクタハウジングを連結する。
【０００７】
しかしながら、特許文献２に開示された発明は、最後に上層のコネクタハウジングを前方に押し込んだ際の、前記凹部と前記凸部との間の摩擦力によって下層のコネクタハウジングに上層のコネクタハウジングが連結されるものであるため、振動等によって、ガタつきが生じるという問題があった。
また、最上段のコネクタハウジングについては、侵入する中央突起がないため、接続用端子を抜け出し不能に押し付けたり、接続用端子が正規の位置に収容されていないことを検知したりすることができないという問題があった。
【０００８】
本発明の第１の目的は、このような状況に鑑みてなされたものであり、簡素なガタ詰め作業でガタつきの抑制を可能にする積層タイプコネクタのガタ詰め構造を提供することにあり、第２の目的は、端子の保持および中途侵入の検知を可能にする積層タイプコネクタのガタ詰め構造を提供することにある。
【課題を解決するための手段】
【０００９】
本発明に係る積層タイプコネクタのガタ詰め構造は、配電板と、前記配電板に載置された下層のコネクタと、前記下層のコネクタに載置された上層のコネクタと、前記配電板、前記下層のコネクタおよび前記上層のコネクタを締結する固定カバーとを有する積層タイプコネクタのガタ詰め構造であって、
前記固定カバーは、固定カバー底部と、前記固定カバー底部に連なって垂直に立ち上がった固定カバー側部と、前記固定カバー側部に連なって前記固定カバー底部に略平行な固定カバー天部と、前記固定カバー天部の前記固定カバー側部とは反対の端縁に設けられた固定カバーバンド固定部と、前記固定カバー底部の前記固定カバー側部とは反対の端縁に設けられた固定カバーバンド部とを具備し、前記固定カバー底部の前記固定カバー天部に対向する面には固定カバー底部ビークが設けられ、前記固定カバー天部の前記固定カバー底部に対向する面には固定カバー天部ビークが設けられ、
前記配電板に、前記固定カバー底部ビークが侵入可能な大きさの配電板側被侵入部が設けられ、
前記下層のコネクタと前記上層のコネクタとは同一形状で、上面には、前記固定カバー天部ビークが侵入可能な大きさのコネクタ側被侵入部が設けられ、
前記固定カバーは、前記固定カバー底部が前記配電板の下面に当接すると共に、前記固定カバー底部ビークが前記配電板の前記配電板側被侵入部に侵入し、かつ、前記固定カバー天部が前記上層のコネクタの上面に当接すると共に、前記固定カバー天部ビークが前記上層のコネクタの前記コネクタ側被侵入部に侵入した状態で、前記配電板、前記下層のコネクタおよび前記上層のコネクタの仮固定が可能に構成されていることを特徴とする。
【発明の効果】
【００１０】
本発明に係る積層タイプコネクタのガタ詰め構造は、以上の構成であって、固定カバーを横方向に移動することによって、固定カバー底部ビークが配電板に設けられた切欠溝に侵入すると共に、固定カバー天部ビークが上層のハウジングの上面に設けられた位置決め溝に侵入して、配電板、下層のコネクタおよび上層のコネクタが仮固定され、さらに、固定カバーを締め付けることによって三者は「ガタつき」のない状態で本固定される。したがって、ガタ詰め作業が簡素化され、生産効率が向上する。
【図面の簡単な説明】
【００１１】
【図１】本発明の実施の形態１に係る積層タイプコネクタのガタ詰め構造を説明するものであって、部材を離して示す斜視図である。
【図２】図１に示す積層タイプコネクタのガタ詰め構造の部材の一部（コネクタおよびカバー）を示す斜視図である。
【図３】図１に示す積層タイプコネクタのガタ詰め構造の部材の一部（コネクタおよびカバー）を示す正面図である。
【図４】図１に示す積層タイプコネクタのガタ詰め構造の部材の一部（コネクタおよびカバー）を示す側面視の断面図である。
【図５】図１に示す積層タイプコネクタのガタ詰め構造の部材の一部（メス端子）を示す斜視図である。
【図６】図１に示す積層タイプコネクタのガタ詰め構造の組み立て状態を説明する側面図である。
【図７】図１に示す積層タイプコネクタのガタ詰め構造の組み立て状態を説明する正面図である。
【図８】図１に示す積層タイプコネクタのガタ詰め構造の組み立て状態を説明する側面視の断面図（図７におけるＢ−Ｂ断面）である。
【図９】図１に示す積層タイプコネクタのガタ詰め構造の組み立て状態を説明する図８の一部を拡大して示す断面図である。
【図１０】本発明の実施の形態２に係る積層タイプコネクタのガタ詰め構造を説明するものであって、部材を離して示す斜視図である。
【図１１】図１０に示す積層タイプコネクタのガタ詰め構造を説明するものであって、部材の一部（コネクタおよびカバー）を示す斜視図である。
【図１２】図１０に示す積層タイプコネクタのガタ詰め構造を説明するものであって、部材の一部（コネクタおよびカバー）を示す正面図である。
【図１３】図１０に示す積層タイプコネクタのガタ詰め構造を説明するものであって、部材の一部（コネクタおよびカバー）を示す平面図である。
【図１４】図１０に示す積層タイプコネクタのガタ詰め構造を説明するものであって、部材の一部（コネクタおよびカバー）を示す側面視の断面図（図１２におけるＣ−Ｃ断面）である。
【図１５】図１０に示す積層タイプコネクタのガタ詰め構造を説明するものであって、部材の一部（固定カバー）を示す斜視図である。
【図１６】本発明の実施の形態２に係る積層タイプコネクタのガタ詰め構造の組み立て状態を説明するものであって、仮固定された状態を示す斜視図である。
【図１７】図１０に示す積層タイプコネクタのガタ詰め構造の組み立て状態を説明するものであって、仮固定された状態を示す側面視の断面図である。
【図１８】図１０に示す積層タイプコネクタのガタ詰め構造の組み立て状態を説明するものであって、仮固定された状態を示す背面視の断面図である。
【図１９】図１０に示す積層タイプコネクタのガタ詰め構造の組み立て状態を説明するものであって、本固定された状態を示す斜視図である。
【図２０】本発明の実施の形態３に係る積層タイプコネクタのガタ詰め構造を説明するものであって、部材を離して示す斜視図である。
【図２１】図２０に示す積層タイプコネクタのガタ詰め構造を説明するものであって、部材の一部（コネクタおよびカバー）を示す平面図である。
【図２２】図２０に示す積層タイプコネクタのガタ詰め構造を説明するものであって、部材の一部（コネクタおよびカバー）を示す正面図である。
【図２３】図２０に示す積層タイプコネクタのガタ詰め構造を説明するものであって、部材の一部（コネクタおよびカバー）を示す底面図である。
【図２４】図２０に示す積層タイプコネクタのガタ詰め構造を説明するものであって、部材の一部（コネクタおよびカバー）を示す側面図である。
【図２５】図２０に示す積層タイプコネクタのガタ詰め構造を説明するものであって、部材の一部（コネクタおよびカバー）を示す側面視の断面図（図２２におけるＡ−Ａ断面）である。
【図２６】図２０に示す積層タイプコネクタのガタ詰め構造を説明するものであって、部材の一部（固定カバー）を示す正面視の断面図（図２５におけるＥ−Ｅ断面）である。
【図２７】本発明の実施の形態３に係る積層タイプコネクタのガタ詰め構造を説明するものであって、固定開始時を示す側面図である。
【図２８】図２７に示す積層タイプコネクタのガタ詰め構造を説明するものであって、固定開始時を示す正面視の断面図（図２７におけるＦ−Ｆ断面）である。
【図２９】図２７に示す積層タイプコネクタのガタ詰め構造を説明するものであって、固定中を示す側面図である。
【図３０】図２７に示す積層タイプコネクタのガタ詰め構造を説明するものであって、固定終了時を示す正面視の断面図（図２９におけるＣ−Ｃ断面）である。
【図３１】図２７に示す積層タイプコネクタのガタ詰め構造を説明するものであって、図３０の一部を拡大して示す正面視の断面図である。
【図３２】本発明の実施の形態４に係る積層タイプコネクタのガタ詰め構造を説明するものであって、部材を離して示す斜視図である。
【図３３】図３２に示す積層タイプコネクタのガタ詰め構造を説明するものであって、部材の一部（コネクタおよびカバー）を示す斜視図である。
【図３４】図３２に示す積層タイプコネクタのガタ詰め構造を説明するものであって、部材の一部（コネクタおよびカバー）を示す正面図である。
【図３５】図３２に示す積層タイプコネクタのガタ詰め構造を説明するものであって、部材の一部（コネクタおよびカバー）を示す平面図である。
【図３６】図３２に示す積層タイプコネクタのガタ詰め構造を説明するものであって、部材の一部（コネクタおよびカバー）を示す側面視の断面図である。
【図３７】図３２に示す積層タイプコネクタのガタ詰め構造を説明するものであって、図３７の（ａ）は下層のコネクタの仮固定状態を示す一部を断面にした側面図、図３７の（ｂ）は仮固定状態における下層のコネクタと配電板との係止部の一部を拡大して示す側面視の断面図である。
【図３８】図３２に示す積層タイプコネクタのガタ詰め構造を説明するものであって、下層のコネクタの本固定状態を示す一部を断面にした側面図である。
【図３９】図３２に示す積層タイプコネクタのガタ詰め構造を説明するものであって、図３９の（ａ）は本固定状態における上層のコネクタの仮固定状態を示す一部を断面にした側面図、図３９の（ｂ）は本固定状態における上層のコネクタと下層のコネクタとの係止部の一部を拡大して示す側面視の断面図である。
【図４０】図３２に示す積層タイプコネクタのガタ詰め構造を説明するものであって、上層のコネクタの本固定状態を示す一部を断面にした側面図である。
【図４１】図３２に示す積層タイプコネクタのガタ詰め構造を説明するものであって、図４１の（ａ）は上層のコネクタの本固定状態を示す正面視の断面図（図４０のＥ−Ｅ断面）、図４１の（ｂ）は上層のコネクタと下層のコネクタとの係止部の一部を拡大して示す正面視の断面図、（ｃ）は下層のコネクタと配電板との係止部の一部を拡大して示す正面視の断面図である。
【発明を実施するための形態】
【００１２】
以下、発明を実施するための形態（以下、「実施の形態」という）を、図面を参照しつつ説明する。なお、各図は模式的に描かれたものであって、本発明は図示された形態（部位の形状や個数等）に限定されるものではない。
【００１３】
［実施の形態１］
図１〜図５は本発明の実施の形態１に係る積層タイプコネクタのガタ詰め構造を説明するものであって、図１は部材を離して示す斜視図、図２は部材の一部（コネクタおよびカバー）を示す斜視図、図３は部材の一部（コネクタおよびカバー）を示す正面図、図４は部材の一部（コネクタおよびカバー）を示す側面視の断面図（図３におけるＣ−Ｃ断面）、図５は部材の一部（メス端子）を示す斜視図である。
【００１４】
（積層タイプコネクタのガタ詰め構造）
図１において、積層タイプコネクタのガタ詰め構造（以下「ガタ詰め構造」と称す）１００は、配電板１９０と、配電板１９０に設置された下層のコネクタ１１０ａと、下層のコネクタ１１０ａに設置された上層のコネクタ１１０ｂとからなる。このとき、下層のコネクタ１１０ａと上層のコネクタ１１０ｂとは同じ形状であるから、以下、下層のコネクタ１１０ａについて説明する。
なお、上（上層）、下（下層）、前（前端面）あるいは後（後端面）として方向を規定しているが、かかる方向は説明の便宜上のものであって、実際の使用状態における方向を規定したものではない。また、本発明は積層されるコネクタの数を限定するものではない。すなわち、上層のコネクタ１１０ｂの上に、１または２以上のコネクタをさらに設置してもよい。
以下、まず、ガタ詰め構造１００を構成する部材について説明し、その後、ガタ詰め構造１００について説明する。
【００１５】
（コネクタ）
図２〜図５において、コネクタ１１０ａは、ハウジング１２０と、ハウジング１２０に挿入されるメス端子１３０と、ハウジング１２０にインサート成形されたオス端子１３９とを具備している。
【００１６】
（メス端子）
メス端子１３０は、オス端子１３９が接触可能な面を具備する略管状体であって、ケーブル繋ぎ部１３１において、ケーブル１３２が接続されている。
【００１７】
（ハウジング）
ハウジング１２０は略直方体の箱体であって、一方の端面（以下「前端面」と称す）１２１にメス端子１３０の挿入を可能にする開口部が形成され、内部にメス端子１３０を収容可能で、オス端子１３９が突出している端子室１２３を具備している。
そして、下面１２４には、前端面１２１に近い位置に下方に向かって突出する断面半円形のガタ詰め突条１２５が設けられ、他方の端面（以下「後端面」と称す）１２２にストッパ１２７が設けられ、さらに、前端面１２１と後端面１２２との間に、後端面１２２に近づく程突出量が増加する位置決め突起１２６が設けられている。
また、ハウジング１２０の上面１２９には、スリット状に複数の上面開口部１４３が設けられ、ハウジング１２０の両方の側面１２８には、それぞれロックビーク１４４および積層ロック係止突条１４５が設けられている。
さらに、上面１２９には、上層のコネクタ１１０ｂの位置決め突起１２６が侵入可能な位置決め溝１４６が設けられている。なお、位置決め溝１４６は、位置決め突起１２６が侵入可能であれば底付きの凹部であってもよい。
【００１８】
（積層固定ロック）
ハウジング１２０の両方の側面１２８にはそれぞれ、積層ロック係止突条１４５の下方に積層固定ロック１５０が設けられている。積層固定ロック１５０は正面視において略コ字状であって、側面１２８に固定（一体的に成形）された積層ロック固定部１５１と、積層ロック固定部１５１に連なり、側面１２８と平行に下方に伸びた積層ロック腕部１５２と、積層ロック腕部１５２に連なり、下面１２４の下方にまで伸びた積層ロック係止部１５４とを具備している。そして、積層ロック係止部１５４には、下面１２４に平行な積層ロック係止面１５３が形成されている。
【００１９】
（カバー）
また、ハウジング１２０の上面１２９には、カバー折り曲げ線１６１を支点にして回転（傾斜）可能なカバー１６０が設けられている。カバー１６０は、略矩形状のカバー面部１６２と、カバー折り曲げ線１６１に垂直な仮想面内でカバー面部１６２に設けられた端子押さえ部１６３と、カバー折り曲げ線１６１に垂直な仮想面内でカバー面部１６２の側縁にそれぞれ設けられたカバー腕部１６５と、カバー腕部１６５に形成されたロックビーク係止孔１６４とを具備している。なお、ロックビーク係止孔１６４は、ロックビーク１４４が係止可能であれば、底付きの凹部であってもよい。
【００２０】
したがって、カバー１６０を回転（傾斜）した際、端子押さえ部１６３は上面開口部１４３に侵入し、やがて、カバー１６０が上面１２９に当接した際、ロックビーク係止孔１６４はロックビーク１４４に係止する（図１参照）。このとき、ハウジング１２０の端子室１２３の正規の位置にまでメス端子１３０が挿入されている場合には、カバー１６０はメス端子１３０を抜け出し不可能に保持することになる（図示しない）。
一方、正規の位置にまでメス端子１３０が挿入されていない場合には、カバー１６０がメス端子１３０に当接して、カバー１６０が上面１２９に当接しなくなる（図示しない）。
すなわち、カバー１６０が上面１２９に当接したか否かによって、正規の位置にまでメス端子１３０が挿入されているか否かを検知可能である。
【００２１】
（配電板）
配電板１９０は、略矩形状の板体であって、一方の端面（以下「後端面」と称す）１９２に近い位置に位置決め突起１２６が侵入可能な位置決め孔１９６が形成され、位置決め孔１９６が形成された範囲は幅が狭くなって、この範囲の下面１９４の側縁部（側面１９８に近い範囲）が、下層のコネクタ１１０ａの積層ロック係止面１５３が係止する配電板ロック面１９３になっている（図１参照）。なお、位置決め孔１９６は、位置決め突起１２６が侵入可能であれば、底付きの凹部であってもよい。
【００２２】
（ガタ詰め構造）
図６〜図９は本発明の実施の形態１に係る積層タイプコネクタのガタ詰め構造の組み立て状態を説明するものであって、図６は側面図、図７は正面図、図８は側面視の断面図（図７におけるＢ−Ｂ断面）、図９は図８の一部を拡大して示す断面図である。
図６〜図９において、ガタ詰め構造１００は、配電板１９０と、配電板１９０に設置された下層のコネクタ１１０ａと、下層のコネクタ１１０ａに設置された上層のコネクタ１１０ｂとからなる。
このとき、下層のコネクタ１１０ａおよび上層のコネクタ１１０ｂとも、カバー１６０は倒され、端子押さえ部１６３は端子室１２３に侵入し、ロックビーク１４４はロックビーク係止孔１６４に係止している。
そして、下層のコネクタ１１０ａは、ガタ詰め突条１２５が配電板１９０の上面１９９に当接する（図８において位置Ｐにて示す）と共に、下面１２４のストッパ１２７（後端面１２２）に近い位置が配電板１９０の上面１９９に当接している（図９の位置Ｒにて示す）。さらに、下層のコネクタ１１０ａの積層ロック係止面１５３が配電板１９０の下面１９４の一部である配電板ロック面１９３に係止している（図９において位置Ｑにて示す）。
このとき、下層のコネクタ１１０ａのストッパ１２７は配電板１９０の後端面１９２に当接し、また、下層のコネクタ１１０ａの位置決め突起１２６は、配電板１９０の位置決め孔１９６に侵入している。
【００２３】
さらに、上層のコネクタ１１０ｂは、ガタ詰め突条１２５が下層のコネクタ１１０ａの上面１２９に当接し、下面１２４のストッパ１２７に近い位置において、下層のコネクタ１１０ａの上面１２９に当接している。さらに、上層のコネクタ１１０ｂの積層ロック係止面１５３が下層のコネクタ１１０ａの積層ロック係止突条１４５に係止している。
このとき、上層のコネクタ１１０ｂのストッパ１２７は下層のコネクタ１１０ａの後端面１２２に当接し、上層のコネクタ１１０ｂの位置決め突起１２６が下層のコネクタ１１０ａの位置決め溝１４６に侵入している（図７、８参照）。
【００２４】
（作用効果）
以上のように、下層のハウジング１２０と配電板１９０とは、位置Ｐ、位置Ｑおよび位置Ｒの３点においてそれぞれ強く押し当てられて、上層のハウジング１２０と下層のハウジング１２０とは、同様に３点においてそれぞれ強く押し当てられている。
したがって、ガタ詰め構造１００（実施の形態１）によると、配電板１９０、下層のコネクタ１１０ａおよび上層のコネクタ１１０ｂの三者におけるガタつきが抑制されると共に、結束バンドおよび結束治具が不要になる。
また、上層のコネクタ１１０ｂの上に、１または２以上のハウジングを設置することができるから、３台以上のコネクタを容易かつ確実に積層することができる。
さらに、カバー１６０に設けられた端子押さえ部１６３が端子室１２３に侵入することによって、正規の位置にまで挿入されたメス端子１３０を抜け出し不可能に保持し、一方、カバー１６０が上面１２９に当接したか否かによって、正規の位置にまでメス端子１３０が挿入されているか否かを検知することが可能になる。
【００２５】
［実施の形態２］
図１０〜図１５は本発明の実施の形態２に係る積層タイプコネクタのガタ詰め構造を説明するものであって、図１０は部材を離して示す斜視図、図１１は部材の一部（コネクタおよびカバー）を示す斜視図、図１２は部材の一部（コネクタおよびカバー）を示す正面図、図１３は部材の一部（コネクタおよびカバー）を示す平面図、図１４は部材の一部（コネクタおよびカバー）を示す側面視の断面図（図１２におけるＣ−Ｃ断面）、図１５は部材の一部（固定カバー）を示す斜視図である。
【００２６】
（積層タイプコネクタのガタ詰め構造）
図１０において、積層タイプコネクタのガタ詰め構造（以下「ガタ詰め構造」と称す）２００は、配電板２９０と、配電板２９０に設置された下層のコネクタ２１０ａと、下層のコネクタ２１０ａに設置された上層のコネクタ２１０ｂと、これらを締結（縛着）する固定カバー２７０とからなる。
すなわち、以下に説明するように、ガタ詰め構造２００は、実施の形態１のガタ詰め構造１００の積層固定ロック１５０および積層ロック係止突条１４５に代えて、固定カバー２７０を有するものである。したがって、ガタ詰め構造１００の部材（または部位）に同じまたは相当する部材（または部位）には、符号の下二桁を同じにして、説明を省略する場合がある。
また、下層のコネクタ２１０ａと上層のコネクタ２１０ｂとは同じ形状であるから、以下、コネクタ２１０ａについて説明する。なお、本発明は積層されるコネクタの数を限定するものではない。すなわち、下層のコネクタ２１０ａと上層のコネクタ２１０ｂとの間に、１または２以上のコネクタを設置してもよい。
以下、まず、ガタ詰め構造２００を構成する部材について説明し、その後、ガタ詰め構造２００について説明する。
【００２７】
（コネクタ）
図１１〜図１４において、コネクタ２１０ａは、ハウジング２２０と、ハウジング２２０に挿入されるメス端子２３０と、ハウジング２２０にインサート成形されたオス端子２３９とを具備している。なお、メス端子２３０およびオス端子２３９はそれぞれ、ガタ詰め構造１００（実施の形態１）におけるメス端子１３０およびオス端子１３９に同じであるから、説明を省略するが、メス端子１３０およびオス端子１３９と相違するものであってよい。
【００２８】
（ハウジング）
ハウジング２２０は略直方体の箱体であって、一方の端面（以下「前端面」と称す）２２１にメス端子２３０の挿入を可能にする開口部が形成され、内部にメス端子２３０を収容可能で、オス端子２３９が突出している端子室２２３を具備している。
そして、下面２２４には、一方の端面（以下「後端面」と称す）２２２にストッパ２２７が設けられ、さらに、後端面２２２に近づく程突出量が増加する位置決め突起２２６が設けられている。
さらに、ハウジング２２０の上面２２９には、スリット状に複数の上面開口部２４３と、略矩形状の位置決め溝２４６が設けられ、ハウジング２２０の両方の側面２２８には、それぞれロックビーク２４４が設けられている。
【００２９】
（カバー）
カバー２６０は、カバー１６０（実施の形態１）と略同じであって、カバー折り曲げ線２６１、カバー面部２６２、端子押さえ部２６３、カバー腕部２６５およびロックビーク係止孔２６４を具備し、さらに、カバー面部２６２にカバー面部溝２６６が形成されている。
したがって、カバー１６０と同様に、端子室２２３の正規の位置にまでメス端子２３０が挿入されている場合には、カバー２６０はメス端子２３０を抜け出し不可能に保持することになり、また、カバー２６０が上面２２９に当接したか否かによって、正規の位置にまでメス端子２３０が挿入されているか否かを検知可能である。
【００３０】
（固定カバー）
図１５において、固定カバー２７０は、樹脂等の可撓性を有する材料によって形成された略コ字状の板材であって、固定カバー底部２７２と、固定カバー底部２７２に連なって垂直に立ち上がった固定カバー側部２７３と、固定カバー側部２７３に連なって固定カバー底部２７２に略平行な固定カバー天部２７４とを具備している。そして、固定カバー天部２７４の固定カバー側部２７３とは反対の端縁に固定カバーバンド固定部２７５が設けられている。一方、固定カバー底部２７２の固定カバー側部２７３とは反対の端縁に固定カバーバンド部２７１が設けられている。そして、固定カバーバンド部２７１は、固定カバー底部２７２との境界部において折れ曲がり可能であり、固定カバーバンド固定部２７５に挿入可能かつ抜け出し不可能であるから、固定カバー２７０は、締め付け機能を有している。
さらに、固定カバー底部２７２の固定カバー天部１７４に対向する面には、固定カバー底部ビーク２７６、２７７が設けられ、一方、固定カバー天部２７４の固定カバー底部２７２に対向する面には、固定カバー天部ビーク２７８、２７９が設けられている。
【００３１】
（配電板）
配電板２９０は、略矩形状の板体であって、一方の端面（以下「後端面」と称す）２９２に位置決め突起２２６が侵入可能な切欠溝２９６と、切欠溝２９６から中央寄りの位置に固定カバー底部ビーク２７７が侵入可能な矩形状の固定用孔２９７が形成されている（図１０参照）。なお、切欠溝２９６および固定用孔２９７はそれぞれ、位置決め突起２２６および固定カバー底部ビーク２７７が侵入可能であれば、底付きの凹部であってもよい。
【００３２】
（ガタ詰め構造）
図１６〜図１９は本発明の実施の形態２に係る積層タイプコネクタのガタ詰め構造の組み立て状態を説明するものであって、図１６は仮固定された状態を示す斜視図、図１７は仮固定された状態を示す側面視の断面図、図１８は仮固定された状態を示す背面視の断面図、図１９は本固定された状態を示す斜視図である。なお、説明の便宜上、メス端子２３０等を一部図示しない。
【００３３】
（仮固定）
図１６〜図１８において、ガタ詰め構造２００は、配電板２９０の上に下層のコネクタ２１０ａが載置され、さらに、下層のコネクタ２１０ａの上に上層のコネクタ２１０ｂが載置された状態で、固定カバー２７０が仮固定されている。このとき、カバー２６０は倒され、端子押さえ部２６３は端子室２２３に侵入し、ロックビーク２４４はロックビーク係止孔２６４に係止している。
そして、下層のコネクタ２１０ａの位置決め突起２２６は配電板２９０の切欠溝２９６に侵入し、下層のコネクタ２１０ａのストッパ２２７は配電板２９０の後端面２９２に当接している。また、上層のコネクタ２１０ｂの位置決め突起２２６は下層のコネクタ２１０ａの位置決め溝２４６に侵入し、上層のコネクタ２１０ｂのストッパ２２７は下層のコネクタ２１０ａの後端面２２２に当接している。
【００３４】
さらに、固定カバー２７０が、下面２２４に平行で横方向（メス端子２３０が挿入される方向に対して垂直方向、矢印２０１にて示す）に移動され、固定カバー底部２７２が配電板２９０の下面２９４に当接し、固定カバー天部２７４が上層のコネクタ２１０ｂの上面２２９およびカバー面部２６２に当接している。
このとき、固定カバー２７０の固定カバー底部ビーク２７６および固定カバー底部ビーク２７７はそれぞれ、配電板２９０の切欠溝２９６および固定用孔２９７に侵入している。また、固定カバー２７０の固定カバー天部ビーク２７８および固定カバー天部ビーク２７９はそれぞれ、上層のコネクタ２１０ｂの位置決め溝２４６およびカバー面部溝２６６に侵入している。したがって、固定カバー２７０は位置決めされ、移動不可能な状態になっている。
【００３５】
（本固定）
図１９において、固定カバー２７０の固定カバーバンド部２７１は、固定カバー底部２７２との境界において折り曲げられ、固定カバーバンド固定部２７５挿入され（矢印２０２にて示す）、さらに、矢印２０３にて示す方向に引き上げられ、配電板２９０、下層のコネクタ２１０ａおよび上層のコネクタ２１０ｂの三者を締め付けている。
したがって、配電板２９０、下層のコネクタ２１０ａおよび上層のコネクタ２１０ｂの三者は、ガタつきが抑えられた状態で締結（縛着）されている（「本固定」と称す）。
【００３６】
（作用効果）
以上のように、ガタ詰め構造２００（実施の形態２）は、固定カバー２７０が配電板２９０、下層のコネクタ２１０ａおよび上層のコネクタ２１０ｂを締め付けて、三者を互いに相対移動不可能に締結（縛着）するから、該三者を「ガタつき」のない状態で本固定することができる。
また、固定カバー２７０を下面２２４に平行で横方向に移動することによって仮固定し、その後、固定カバーバンド部２７１を固定カバーバンド固定部２７５挿入して締め付けるだけで本固定することができるから、固定作業が簡素化され、生産効率が向上する。
また、固定カバー２７０には固定カバー底部ビーク２７６や固定カバー天部ビーク２７８等が形成され、これらが配電板２９０の切欠溝２９６や上層のコネクタ２１０ｂの位置決め溝２４６等に侵入するから、前記三者の「ガタつき」をより確実に抑えることができる。そうすると、固定カバー２７０は、一体成形され、仮固定を容易にする効果と本固定における締め付け効果とを兼ね備えていると言える。
さらに、下層のコネクタ２１０ａと上層のコネクタ２１０ｂとの間に、コネクタを追加することができるから、３台以上のコネクタを容易かつ確実に積層することができる。
さらに、ガタ詰め構造１００（実施の形態１）と同様に、メス端子２３０の保持あるいはメス端子２３０の中間挿入の検知が可能になる。
【００３７】
［実施の形態３］
図２０〜図２６は本発明の実施の形態３に係る積層タイプコネクタのガタ詰め構造を説明するものであって、図２０は部材を離して示す斜視図、図２１は部材の一部（コネクタおよびカバー）を示す平面図、図２２は部材の一部（コネクタおよびカバー）を示す正面図、図２３は部材の一部（コネクタおよびカバー）を示す底面図、図２４は部材の一部（コネクタおよびカバー）を示す側面図、図２５は部材の一部（コネクタおよびカバー）を示す側面視の断面図（図２２におけるＡ−Ａ断面）、図２６は部材の一部（固定カバー）を示す正面視の断面図（図２５におけるＥ−Ｅ断面）である。
【００３８】
（積層タイプコネクタのガタ詰め構造）
図２０において、積層タイプコネクタのガタ詰め構造（以下「ガタ詰め構造」と称す）３００は、配電板３８０と、配電板３８０に設置された下層のコネクタ３１０ａと、下層のコネクタ３１０ａに設置された上層のコネクタ３１０ｂと、これらを締結（縛着）する固定バンド３７０とからなる。
すなわち、以下に説明するように、ガタ詰め構造３００は、実施の形態１のガタ詰め構造１００の積層固定ロック１５０および積層ロック係止突条１４５に代えて、固定バンド３７０を有するものである。したがって、ガタ詰め構造１００の部材（または部位）に同じまたは相当する部材（または部位）には、符号の下二桁を同じにして、説明を省略する場合がある。
また、下層のコネクタ３１０ａと上層のコネクタ３１０ｂとは同じ形状であるから、以下、コネクタ３１０ａについて説明する。なお、本発明は積層されるコネクタの数を限定するものではない。すなわち、下層のコネクタ２１０ａと上層のコネクタ２１０ｂとの間に、１または２以上のコネクタを設置してもよい。
以下、まず、ガタ詰め構造３００を構成する部材について説明し、その後、ガタ詰め構造３００について説明する。
【００３９】
（コネクタ）
図２１〜図２６において、コネクタ３１０ａは、ハウジング３２０と、ハウジング３２０に挿入されるメス端子３３０と、ハウジング３２０にインサート成形されたオス端子３３９とを具備している。なお、メス端子３３０およびオス端子３３９はそれぞれ、ガタ詰め構造１００（実施の形態１）におけるメス端子１３０およびオス端子１３９に同じであるから、説明を省略するが、メス端子１３０およびオス端子１３９と相違するものであってよい。
【００４０】
（ハウジング）
ハウジング３２０は略直方体の箱体であって、前端面３２１にメス端子３３０の挿入を可能にする開口部が形成され、内部にメス端子３３０を収容可能で、オス端子３３９が突出している端子室３２３を具備している。
そして、下面３２４には、後端面３２２にストッパ３２７が設けられ、後端面３２２に近い範囲に、矩形状に配置された位置決めボス（突起）３２６が設けられている。
さらに、ハウジング３２０の上面３２９には、スリット状に複数の上面開口部３４３が設けられ、ハウジング３２０の両方の側面１２８には、それぞれロックビーク３４４およびバンド挿入腕３４５が設けられている。
なお、バンド挿入腕３４５には上下方向に貫通した固定バンド挿入孔３４６が形成され、固定バンド挿入孔３４６には固定バンド挿入孔突起３４９が設けられている。固定バンド挿入孔突起３４９は、下面３２４に近づく程突出する固定バンド挿入孔案内面３４７と、固定バンド挿入孔案内面３４７に連なって下面３２４に平行な固定バンド挿入孔係止面３４８とを具備する。
【００４１】
（カバー）
また、ハウジング３２０の上面３２９には、カバー折り曲げ線３６１を支点にして回転（傾斜）可能なカバー３６０が設けられている。カバー３６０はカバー１６０（実施の形態１）と同様に、カバー面部３６２、端子押さえ部３６３、カバー腕部３６５およびロックビーク係止孔３６４を具備する。
したがって、カバー３６０は、カバー１６０と同様に回転（傾斜）した際、端子押さえ部３６３は上面開口部３４３に侵入して、メス端子３３０を抜け出し不可能に保持する。また、カバー３６０が上面３２９に当接したか否かによって、正規の位置にまでメス端子３３０が挿入されているか否かを検知可能である。
【００４２】
（固定バンド）
図２０において、固定バンド３７０は、樹脂等の可撓性を有する材料によって形成された略コ字状の板材であって、対向した一対の固定バンド側部３７１と、固定バンド側部３７１の一方の端部同士を連結する固定バンド天部３７２とを具備している。
そして、固定バンド側部３７１の互いに対向する面（内面に相当する）には、複数の固定バンド突起３７９が設けられている。なお、固定バンド突起３７９は、固定バンド天部３７２に近づく程突出量が増加する固定バンド突起案内面３７７と、固定バンド突起案内面３７７に繋がって、固定バンド天部３７２に平行な固定バンド突起係止面３７８とを具備し、鋸歯状を呈している（後記する図３１参照）。
【００４３】
（配電板）
配電板３８０は、略矩形状の板体であって、一方の端面（以下「後端面」と称す）３８２に近い範囲に、下層のコネクタ３１０ａの位置決めボス３２６が侵入可能な位置決め孔３８５が形成され、側縁に沿って、固定バンド３７０の固定バンド側部３７１が貫通可能なバンド固定バンド係止孔３８６が形成されている。
そして、バンド固定バンド係止孔３８６には、固定バンド３７０の固定バンド突起３７９が係止可能な固定バンド係止孔突起３８９が設けられている。固定バンド係止孔突起３８９は、上面３８１に近づく程突出量が減少する係止案内面３８７と、係止案内面３８７に繋がって、上面３８１に平行な係止面３８８とを具備している（後記する図３１参照）。
なお、位置決め孔３８５は二列に形成された長い孔あるが、その数量や形状は限定されるものではなく、矩形状に配置された円形や矩形の孔であってもよい。また、位置決め孔３８５は位置決めボス３２６が侵入可能であれば、底付きの凹部であってもよい。
【００４４】
（ガタ詰め構造）
図２７〜図３１は本発明の実施の形態３に係る積層タイプコネクタのガタ詰め構造を説明するものであって、図２７は固定開始時を示す側面図、図２８は固定開始時を示す正面視の断面図（図２７におけるＦ−Ｆ断面）、図２９は固定中を示す側面図、図３０は固定終了時を示す正面視の断面図（図２９におけるＣ−Ｃ断面）、図３１は図３０の一部を拡大して示す正面視の断面図である。
【００４５】
（固定開始時）
図２７および図２８において、ガタ詰め構造３００は、配電板３８０の上に、下層のコネクタ３１０ａが載置され、さらに、下層のコネクタ３１０ａの上に上層のコネクタ３１０ｂが載置された状態で、固定バンド３７０が設置される。このとき、カバー３６０は倒され、カバー３６０のロックビーク係止孔３６４はロックビーク３４４に係止し、端子押さえ部３６３は端子室３２３に侵入している（図２５参照）。
そして、下層のコネクタ３１０ａの位置決めボス３２６は配電板３８０の位置決め孔３８５に侵入し、下層のコネクタ３１０ａのストッパ３２７は配電板２９０の後端面２９２に当接している。また、上層のコネクタ３１０ｂの位置決めボス３２６は下層のコネクタ３１０ａの位置決め溝３６６に侵入し、上層のコネクタ３１０ｂのストッパ２２７は下層のコネクタ３１０ａの後端面３２２に当接している。
【００４６】
さらに、固定バンド３７０が上層のコネクタ３１０ｂの固定バンド挿入孔３４６の直上に配置され、固定バンド側部３７１（正確には固定バンド突起３７９の先端）は上層のコネクタ３１０ｂの側面３２８に当接（摺動）している。
そして、固定カバー２７０は、矢印３０１にて示すように、下方に押し込まれる。
【００４７】
（固定中）
図２９において、固定バンド３７０は下方に押し込まれ、上層のコネクタ３１０ｂの固定バンド挿入孔３４６および下層のコネクタ３１０ａの固定バンド挿入孔３４６に差し込まれ、さらに、配電板３８０のバンド固定バンド係止孔３８６に差し込まれている。
このとき、固定カバー２７０の固定バンド突起案内面３７７は、上層のコネクタ３１０ｂおよび下層のコネクタ３１０ａの固定バンド挿入孔案内面３４７に案内されながら下降し、かつ、固定バンド挿入孔案内面３４７から外れる状況が繰り返される。また、同様に、固定カバー２７０の固定バンド突起案内面３７７は、配電板３８０の係止案内面３８７に案内されながら下降し、かつ、係止案内面３８７から外れる状況が繰り返される。
【００４８】
（固定終了時）
図３０および図３１において、固定バンド３７０の固定バンド天部３７２に当接した際、固定バンド３７０の下降は停止して、固定バンド突起係止面３７８が、配電板３８０の係止面３８８に係止する（本固定される）。また、固定バンド突起係止面３７８は、上層のコネクタ３１０ｂの係止面３４８および下層のコネクタ３１０ａの係止面３４８にも係止している。
【００４９】
（作用効果）
以上のように、ガタ詰め構造３００（実施の形態３）は、固定バンド３７０を押し込んで、上層のコネクタ３１０ｂの固定バンド挿入孔３４６および下層のコネクタ３１０ａの固定バンド挿入孔３４６に差し込み、さらに、配電板３８０のバンド固定バンド係止孔３８６に下方に向かって差し込むことによって、配電板３８０、下層のコネクタ３１０ａおよび上層のコネクタ３１０ｂの三者を締め付け、「ガタつき」のない状態で本固定することができる。
このとき、固定バンド３７０を、上方から下方に向けての「差し込み式」にしているから、固定作業が容易になり、生産効率が向上する。
さらに、下層のコネクタ３１０ａと上層のコネクタ３１０ｂとの間に、コネクタを追加することができるから、３台以上のコネクタを容易かつ確実に積層することができる。
さらに、ガタ詰め構造１００（実施の形態１）と同様に、メス端子２３０の保持あるいはメス端子２３０の中間挿入の検知が可能になる。
【００５０】
［実施の形態４］
図３２〜図３６は本発明の実施の形態４に係る積層タイプコネクタのガタ詰め構造を説明するものであって、図３２は部材を離して示す斜視図、図３３は部材の一部（コネクタおよびカバー）を示す斜視図、図３４は部材の一部（コネクタおよびカバー）を示す正面図、図３５は部材の一部（コネクタおよびカバー）を示す平面図、図３６は部材の一部（コネクタおよびカバー）を示す側面視の断面図である。
【００５１】
（積層タイプコネクタのガタ詰め構造）
図３２において、積層タイプコネクタのガタ詰め構造（以下「ガタ詰め構造」と称す）４００は、配電板４９０と、配電板４９０に設置された下層のコネクタ４１０ａと、下層のコネクタ４１０ａに設置された上層のコネクタ４１０ｂとからなる。
すなわち、以下に説明するように、ガタ詰め構造４００は、ガタ詰め構造１００（実施の形態１）の積層固定ロック１５０および積層ロック係止突条１４５に代えて、カバー４６０に設けた積層ロック４６７（積層ロック爪４６６）および積層ロック孔４４５を有するものである。したがって、ガタ詰め構造１００の部材（または部位）に同じまたは相当する部材（または部位）には、符号の下二桁を同じにして、説明を省略する場合がある。
また、下層のコネクタ４１０ａと上層のコネクタ４１０ｂとは同じ形状であるから、以下、コネクタ４１０ａについて説明する。なお、本発明は積層されるコネクタの数を限定するものではない。すなわち、上層のコネクタ４１０ｂの上に、１または２以上のコネクタをさらに設置してもよい。
以下、まず、ガタ詰め構造４００を構成する部材について説明し、その後、ガタ詰め構造４００について説明する。
【００５２】
（コネクタ）
図３３〜図３６において、コネクタ４１０ａは、ハウジング４２０と、ハウジング４２０に挿入されるメス端子４３０と、ハウジング４２０にインサート成形されたオス端子４３９とを具備している。なお、メス端子４３０およびオス端子４３９はそれぞれ、ガタ詰め構造１００（実施の形態１）におけるメス端子１３０およびオス端子１３９に同じであるから、説明を省略するが、メス端子１３０およびオス端子１３９と相違するものであってよい。
【００５３】
（ハウジング）
ハウジング４２０は略直方体の箱体であって、前端面４２１にメス端子４３０の挿入を可能にする開口部が形成され、内部にメス端子４３０を収容可能で、オス端子４３９が突出している端子室４２３を具備している。
そして、下面４２４には、後端面４２２にストッパ４２７が設けられ、後端面４２２に近い位置に、側面視でＬ字状の位置決め突起４２６が設けられている。位置決め突起４２６の先端（下端）には、ストッパ４２７とは反対の方向に突出し、下面４２４に平行な位置決め爪４２５が形成されている。
さらに、ハウジング４２０の上面４２９には、前端面４２１側にスリット状に複数の上面開口部４４３が設けられ、後端面４２２側に位置決め突起４２６が侵入可能な大きさの位置決め突起侵入溝４４６が設けられ、位置決め突起侵入溝４４６の前端面側の縁部が、位置決め突起係止部４４７になっている。
さらに、ハウジング４２０の両方の側面４２８には、それぞれロックビーク４４４が設けられている。
【００５４】
（カバー）
また、ハウジング４２０の上面４２９には、ハウジング１２０と同様に、カバー折り曲げ線４６１を支点にして回転（傾斜）可能なカバー４６０が設けられている。カバー４６０は、カバー面部４６２と、端子押さえ部４６３と、カバー腕部４６５と、ロックビーク係止孔４６４とを具備している。そして、ロックビーク係止孔４６４を挟むように、積層ロック孔４４５が一対設けられている。
さらに、カバー腕部４６５には積層ロック４６７が一対延設され、積層ロック４６７の先端には積層ロック爪４６６が設けられている。このとき、積層ロック４６７と積層ロック孔４４５とを結ぶ仮想線はカバー面部４６２に対して垂直になっている。また、積層ロック爪４６６はカバー面部４６２に対して平行で、他方の積層ロック爪４６６に対向している。すなわち、対向する積層ロック４６７同士の距離は、側面４２８同士の距離に略同じ（わずかに大きい）であり、対向する積層ロック爪４６６の先端同士の距離は、側面４２８同士の距離よりも小さく（狭く）なっている。
なお、後記する理由により、ロックビーク４４４およびロックビーク係止孔４６４を設けなくてもよい。
【００５５】
したがって、カバー４６０は、カバー１６０（実施の形態１）と同様に、回転（傾斜）した際、端子押さえ部４６３は上面開口部４４３に侵入し、やがて、カバー４６０が上面４２９に当接した際、ロックビーク係止孔４６４はロックビーク４４４に係止して、正規の位置にまで挿入されたメス端子４３０を抜け出し不可能に保持することになる。このとき、積層ロック４６７は下面４２４に対して垂直になり、積層ロック爪４６６は下面４２４よりも下方に位置する。
また、カバー１６０と同様に、カバー４６０が上面４２９に当接したか否かによって、正規の位置にまでメス端子４３０が挿入されているか否かを検知可能である。
【００５６】
（配電板）
配電板４９０は、略矩形状の板体であって、一方の端面（以下「後端面」と称す）４９２に位置決め突起４２６が侵入可能な切欠溝４９６が形成され、切欠溝４９６の奥には下面４９４に段差状の切欠溝係止部４９５が設けられ、側面４９８には、幅の狭くなった係止用範囲４９７が設けられている（図３２参照）。
【００５７】
（ガタ詰め構造）
図３７〜図４１は本発明の実施の形態４に係る積層タイプコネクタのガタ詰め構造を説明するものであって、図３７の（ａ）は下層のコネクタの仮固定状態を示す一部を断面にした側面図、図３７の（ｂ）は仮固定状態における下層のコネクタと配電板との係止部の一部を拡大して示す側面視の断面図、図３８は下層のコネクタの本固定状態を示す一部を断面にした側面図、図３９の（ａ）は本固定状態における上層のコネクタの仮固定状態を示す一部を断面にした側面図、図３９の（ｂ）は本固定状態における上層のコネクタと下層のコネクタとの係止部の一部を拡大して示す側面視の断面図、図４０は上層のコネクタの本固定状態を示す一部を断面にした側面図、図４１の（ａ）は上層のコネクタの本固定状態を示す正面視の断面図（図４０のＥ−Ｅ断面）、図４１の（ｂ）は上層のコネクタと下層のコネクタとの係止部の一部を拡大して示す正面視の断面図、（ｃ）は下層のコネクタと配電板との係止部の一部を拡大して示す正面視の断面図である。
【００５８】
（下層のコネクタの仮固定）
図３７の（ａ）および（ｂ）において、ガタ詰め構造４００は、配電板４９０の上に、下層のコネクタ４１０ａが載置され、さらに、下層のコネクタ４１０ａの上に上層のコネクタ４１０ｂが載置される。このとき、下層のコネクタ４１０ａのカバー４６０は倒され、カバー４６０のロックビーク係止孔４６４はロックビーク４４４に係止し、端子押さえ部４６３は端子室４２３内に侵入している（図示しない）。
そして、下層のコネクタ４１０ａの位置決め突起４２６が、配電板４９０の切欠溝４９６内に侵入して、位置決め突起４２６に形成された位置決め爪４２５が切欠溝４９６の奥の下面４９４に形成された切欠溝係止部４９５に係止している。
さらに、カバー４６０は、位置決め爪４２５と切欠溝係止部４９５との係止点を回転中心にして矢印４０１にて示す方向に回転される。
【００５９】
（下層のコネクタの本固定）
図３８において、下層のコネクタ４１０ａの前記矢印４０１の方向の回転によって、下層のコネクタ４１０ａの下面４２４は配電板４９０の上面４９９と平行になり、積層ロック４６７は配電板４９０の下面４９４に対して垂直になっている。そして、積層ロック爪４６６は下面４９４に対して平行になり、係止用範囲４９７において下面４９４に係止している。すなわち、下層のコネクタ４１０ａは配電板４９０に本固定されている。
なお、積層ロック爪４６６の下面４９４への係止によって、カバー４６０は回転（立ち上がり）不可能になっているから、ロックビーク４４４およびロックビーク係止孔４６４を撤去してもよい。このとき、カバー４６０を上面４２９に押し付けながら、下層のコネクタ４１０ａを矢印４０１の方向に回転することになる。
【００６０】
（上層のコネクタの仮固定）
図３９（ａ）および（ｂ）において、配電板４９０に本固定された下層のコネクタ４１０ａの上に上層のコネクタ４１０ｂが載置されている。このとき、上層のコネクタ４１０ｂのカバー４６０は倒され、カバー４６０のロックビーク係止孔４６４はロックビーク４４４に係止し、端子押さえ部４６３は端子室４２３内に侵入している（図示しない）
そして、上層のコネクタ４１０ｂの位置決め突起４２６が、下層のコネクタ４１０ａの位置決め突起侵入溝４４６に侵入して、位置決め突起４２６に形成された位置決め爪４２５が、位置決め突起侵入溝４４６に形成された位置決め突起係止部４４７に係止している。
さらに、位置決め爪４２５と位置決め突起係止部４４７との係止点を回転中心にして矢印４０２にて示す方向に回転される。
【００６１】
（上層のコネクタの本固定）
図４０と図４１の（ａ）、（ｂ）および（ｃ）とにおいて、上層のコネクタ４１０ｂの前記矢印４０２の方向の回転によって、上層のコネクタ４１０ｂの下面４２４は下層のコネクタ４１０ａの上面４２９と平行になり、上層のコネクタ４１０ｂの積層ロック４６７は下層のコネクタ４１０ａの上面４２９に対して垂直になっている。そして、上層のコネクタ４１０ｂの積層ロック爪４６６は、下層のコネクタ４１０ａの積層ロック孔４４５に係止している。すなわち、上層のコネクタ４１０ｂは下層のコネクタ４１０ａに本固定されている。
なお、積層ロック爪４６６の積層ロック孔４４５への係止によって、カバー４６０は回転（立ち上がり）不可能になっているから、ロックビーク４４４およびロックビーク係止孔４６４を撤去してもよい。このとき、カバー４６０を上面４２９に押し付けながら、上層のコネクタ４１０ｂを矢印４０２の方向に回転することになる。
【００６２】
（作用効果）
以上のように、ガタ詰め構造４００（実施の形態４）は、位置決め爪４２５と切欠溝係止部４９５との係止、および積層ロック爪４６６と係止用範囲４９７との係止の二重係止構造によって、下層のコネクタ４１０ａは配電板４９０に本固定され、さらに、位置決め爪４２５と切欠溝係止部４９５との係止、および積層ロック爪４６６と積層ロック孔４４５との係止の二重係止構造によって、上層のコネクタ４１０ｂは下層のコネクタ４１０ａに本固定されている。したがって、配電板４９０、下層のコネクタ４１０ａおよび上層のコネクタ４１０ｂの三者のガタつきを抑えることができる。
また、構造が簡素で小型であるから、小型化が促進され、省スペース化が可能になる。
さらに、上層のコネクタ４１０ｂの上にコネクタを追加することができるから、３以上のコネクタを容易かつ確実に積層することが可能である。
さらに、ガタ詰め構造１００（実施の形態１）と同様に、メス端子４３０の保持あるいは中途挿入の検出が可能で、３個以上のコネクタを容易かつ確実に積層することができる。
【００６３】
［発明の開示］
以上の説明から明らかなように、実施の形態１〜４は以下の発明を開示している。
すなわち、配電板と、前記配電板に設置された下層のコネクタと、前記下層のコネクタに設置された上層のコネクタとを有する積層タイプコネクタのガタ詰め構造であって、
前記下層のコネクタと前記上層のコネクタとは同一形状で、前端面が開口した略直方体のハウジングを具備し、
前記ハウジングの下面には、前端面に近い位置に下方に突出したガタ詰め突条が設けられ、
前記ハウジングの両方の側面にはそれぞれ、前記ハウジングの上面寄りの位置に側方に突出した積層ロック係止突条と、上端部が前記積層ロック係止突条の下方に設置され、下端部が前記ハウジングの下面よりも下方に突出した積層固定ロックとが設けられ、前記積層固定ロックの下端部には積層ロック係止面が形成され、
前記下層のコネクタの下面は、後端面に近い位置および前記ガタ詰め突条において前記配電板の上面に当接すると共に、前記下層のコネクタの前記積層ロック係止面が前記配電板の下面に係止することによって、前記下層のコネクタは前記配電板に本固定され、
前記上層のコネクタの下面は、後端面に近い位置および前記ガタ詰め突条において前記下層のコネクタの上面に当接すると共に、前記上層のコネクタの前記積層ロック係止面が前記下層のコネクタの前記積層ロック係止突条に係止することによって、前記上層のコネクタは前記下層のコネクタに本固定されることを特徴とする積層タイプコネクタのガタ詰め構造。
【００６４】
また、配電板と、前記配電板に載置された下層のコネクタと、前記下層のコネクタに載置された上層のコネクタと、前記配電板、前記下層のコネクタおよび前記上層のコネクタを締結する固定バンドとを有する積層タイプコネクタのガタ詰め構造であって、
前記固定バンドは可撓性を有する材料によって形成された略コ字状の板材であって、対向した一対の固定バンド側部と、前記固定バンド側部の一方の端部同士を連結する固定バンド天部とを具備し、前記固定バンド側部の互いに対向する面には複数の鋸歯状の固定バンド突起が設けられ、
前記配電板に、前記固定バンド側部が貫通可能な大きさの固定バンド係止孔が形成され、前記固定バンド係止孔には、前記固定バンド突起が係止可能な固定バンド係止孔突起が設けられ、
前記下層のコネクタと前記上層のコネクタとは同一形状で、前端面が開口した略直方体のハウジングを具備し、
前記ハウジングの両方の側面にはそれぞれバンド挿入腕が設けられ、前記バンド挿入腕には、前記固定バンド側部が下方に向かって挿入可能な大きさの固定バンド挿入孔が形成され、
固定バンド側部は、前記上層のコネクタの前記固定バンド挿入孔および前記下層のコネクタの前記固定バンド挿入孔を経由して前記配電板の前記固定バンド係止孔に下方に向かって挿入され、固定バンド天部が前記上層のコネクタの上面に当接した際、前記固定バンド突起は前記配電板の前記固定バンド係止孔突起に上方に抜け出し不能に係止することによって、前記固定バンドは、前記配電板、前記下層のコネクタおよび前記上層のコネクタを締結していることを特徴とする積層タイプコネクタのガタ詰め構造。
【００６５】
さらに、配電板と、前記配電板に設置された下層のコネクタと、前記下層のコネクタに設置された上層のコネクタとを有する積層タイプコネクタのガタ詰め構造であって、
前記下層のコネクタと前記上層のコネクタとは同一形状で、前端面が開口した略直方体のハウジングを具備し、
前記ハウジングの下面には、下方に突出した位置決め突起が設けられ、前記位置決め突起の端部には位置決め爪が形成され、
前記ハウジングの上面には、前記位置決め突起が侵入可能な大きさの位置決め突起侵入溝と、折り曲げ線において回転可能なカバーが設けられ、前記位置決め突起侵入溝には前記位置決め爪が係止可能な位置決め突起係止部が形成され、
前記配電板の一方の端面には前記位置決め突起が侵入可能な大きさの切欠溝が形成され、前記切欠溝には前記位置決め爪が係止可能な切欠溝係止部が形成され、
前記カバーは、略矩形状のカバー面部と、前記カバー面部の側縁にそれぞれ設けられ、前記カバー折り曲げ線および前記カバー面部に対して垂直なカバー腕部と、前記カバー腕部に形成された積層ロック孔と、前記カバー腕部に延設された積層ロックと、前記積層ロックの先端部に形成され、前記積層ロック孔に係止可能な大きさの積層ロック爪とを具備し、前記積層ロック孔と前記積層ロック爪とを結ぶ仮想線が前記カバー面部に垂直で、
前記下層のコネクタの前記位置決め突起は前記配電板の前記切欠溝に侵入して、前記下層のコネクタの位置決め爪は前記配電板の前記切欠溝係止部に係止すると共に、前記下層のコネクタの前記カバーは回転されて前記下層のコネクタの前記カバー面部は前記下層のコネクタの上面に当接し、前記下層のコネクタの前記積層ロック爪は前記配電板の下面に係止することによって、前記下層のコネクタは前記配電板に本固定され、
前記上層のコネクタの前記位置決め突起は前記下層のコネクタの前記位置決め突起侵入溝に侵入して、前記上層のコネクタの前記位置決め爪は前記下層のコネクタの前記位置決め突起係止部に係止すると共に、前記上層のコネクタの前記カバーは回転されて前記上層のコネクタの前記カバー面部は前記上層のコネクタの上面に当接し、前記上層のコネクタの前記積層ロック爪は前記下層のコネクタの前記積層ロック孔に係止することによって、前記上層のコネクタは前記下層のコネクタに本固定されることを特徴とする積層タイプコネクタのガタ詰め構造。
【００６６】
以上、本発明を実施の形態をもとに説明した。この実施の形態は例示であり、それらの各構成要素及びその組合せにいろいろな変形例が可能なこと、またそうした変形例も本発明の範囲にあることは当業者に理解されるところである。
【産業上の利用可能性】
【００６７】
本発明は以上であるから、各種機器に設置される積層タイプコネクタのガタ詰め構造として広く利用することができる。
【符号の説明】
【００６８】
１００  ：積層タイプコネクタのガタ詰め構造（実施の形態１）
１１０ａ：下層のコネクタ
１１０ｂ：上層のコネクタ
１２０  ：ハウジング
１２１  ：前端面
１２２  ：後端面
１２３  ：端子室
１２４  ：下面
１２５  ：ガタ詰め突条
１２６  ：位置決め突起
１２７  ：ストッパ
１２８  ：側面
１２９  ：上面
１３０  ：メス端子
１３１  ：ケーブル繋ぎ部
１３２  ：ケーブル
１３９  ：オス端子
１４３  ：上面開口部
１４４  ：ロックビーク
１４５  ：積層ロック係止突条
１４６  ：位置決め溝
１５０  ：積層固定ロック
１５１  ：積層ロック固定部
１５２  ：積層ロック腕部
１５３  ：積層ロック係止面
１５４  ：積層ロック係止部
１６０  ：カバー
１６１  ：カバー折り曲げ線
１６２  ：カバー面部
１６３  ：端子押さえ部
１６４  ：ロックビーク係止孔
１６５  ：カバー腕部
１９０  ：配電板
１９２  ：後端面
１９３  ：配電板ロック面
１９４  ：下面
１９６  ：位置決め孔
１９８  ：側面
１９９  ：上面
２００  ：積層タイプコネクタのガタ詰め構造（実施の形態２）
２０１  ：矢印
２０２  ：矢印
２０３  ：矢印
２１０ａ：下層のコネクタ
２１０ｂ：上層のコネクタ
２２０  ：ハウジング
２２１  ：前端面
２２２  ：後端面
２２３  ：端子室
２２４  ：下面
２２６  ：位置決め突起
２２７  ：ストッパ
２２８  ：側面
２２９  ：上面
２３０  ：メス端子
２３９  ：オス端子
２４３  ：上面開口部
２４４  ：ロックビーク
２４６  ：位置決め溝
２６０  ：カバー
２６１  ：カバー折り曲げ線
２６２  ：カバー面部
２６３  ：端子押さえ部
２６４  ：ロックビーク係止孔
２６５  ：カバー腕部
２６６  ：カバー面部溝
２７０  ：固定カバー
２７１  ：固定カバーバンド部
２７２  ：固定カバー底部
２７３  ：固定カバー側部
２７４  ：固定カバー天部
２７５  ：固定カバーバンド固定部
２７６  ：固定カバー底部ビーク
２７７  ：固定カバー底部ビーク
２７８  ：固定カバー天部ビーク
２７９  ：固定カバー天部ビーク
２９０  ：配電板
２９２  ：後端面
２９４  ：下面
２９６  ：切欠溝
２９７  ：固定用孔
３００  ：積層タイプコネクタのガタ詰め構造（実施の形態３）
３０１  ：矢印
３１０ａ：下層のコネクタ
３１０ｂ：上層のコネクタ
３２０  ：ハウジング
３２１  ：前端面
３２２  ：後端面
３２３  ：端子室
３２４  ：下面
３２６  ：位置決めボス
３２７  ：ストッパ
３２８  ：側面
３２９  ：上面
３３０  ：メス端子
３３９  ：オス端子
３４３  ：上面開口部
３４４  ：ロックビーク
３４５  ：バンド挿入腕
３４６  ：固定バンド挿入孔
３４７  ：固定バンド挿入孔案内面
３４８  ：固定バンド挿入孔係止面
３４９  ：固定バンド挿入孔突起
３６０  ：カバー
３６１  ：カバー折り曲げ線
３６２  ：カバー面部
３６３  ：端子押さえ部
３６４  ：ロックビーク係止孔
３６５  ：カバー腕部
３６６  ：位置決め溝
３７０  ：固定バンド
３７１  ：固定バンド側部
３７２  ：固定バンド天部
３７７  ：固定バンド突起案内面
３７８  ：固定バンド突起係止面
３７９  ：固定バンド突起
３８０  ：配電板
３８１  ：上面
３８５  ：位置決め孔
３８６  ：固定バンド係止孔
３８７  ：係止案内面
３８８  ：係止面
３８９  ：固定バンド係止孔突起
４００  ：積層タイプコネクタのガタ詰め構造（実施の形態４）
４０１  ：矢印
４０２  ：矢印
４１０ａ：下層のコネクタ
４１０ｂ：上層のコネクタ
４２０  ：下層のハウジング
４２０ａ：上層のハウジング
４２１  ：前端面
４２２  ：後端面
４２３  ：端子室
４２４  ：下面
４２５  ：位置決め爪
４２６  ：位置決め突起
４２７  ：ストッパ
４２８  ：側面
４２９  ：上面
４３０  ：メス端子
４３９  ：オス端子
４４３  ：上面開口部
４４４  ：ロックビーク
４４５  ：積層ロック孔
４４６  ：位置決め突起侵入溝
４４７  ：位置決め突起係止部
４６０  ：カバー
４６１  ：カバー折り曲げ線
４６２  ：カバー面部
４６３  ：端子押さえ部
４６４  ：ロックビーク係止孔
４６５  ：カバー腕部
４６６  ：積層ロック爪
４６７  ：積層ロック
４９０  ：配電板
４９２  ：後端面
４９４  ：下面
４９５  ：切欠溝係止部
４９６  ：切欠溝
４９７  ：係止用範囲
４９８  ：側面
４９９  ：上面
【図１】
0006599151.tif 000002
【図２】
0006599151.tif 000003
【図３】
0006599151.tif 000004
【図４】
0006599151.tif 000005
【図５】
0006599151.tif 000006
【図６】
0006599151.tif 000007
【図７】
0006599151.tif 000008
【図８】
0006599151.tif 000009
【図９】
0006599151.tif 000010
【図１０】
0006599151.tif 000011
【図１１】
0006599151.tif 000012
【図１２】
0006599151.tif 000013
【図１３】
0006599151.tif 000014
【図１４】
0006599151.tif 000015
【図１５】
0006599151.tif 000016
【図１６】
0006599151.tif 000017
【図１７】
0006599151.tif 000018
【図１８】
0006599151.tif 000019
【図１９】
0006599151.tif 000020
【図２０】
0006599151.tif 000021
【図２１】
0006599151.tif 000022
【図２２】
0006599151.tif 000023
【図２３】
0006599151.tif 000024
【図２４】
0006599151.tif 000025
【図２５】
0006599151.tif 000026
【図２６】
0006599151.tif 000027
【図２７】
0006599151.tif 000028
【図２８】
0006599151.tif 000029
【図２９】
0006599151.tif 000030
【図３０】
0006599151.tif 000031
【図３１】
0006599151.tif 000032
【図３２】
0006599151.tif 000033
【図３３】
0006599151.tif 000034
【図３４】
0006599151.tif 000035
【図３５】
0006599151.tif 000036
【図３６】
0006599151.tif 000037
【図３７】
0006599151.tif 000038
【図３８】
0006599151.tif 000039
【図３９】
0006599151.tif 000040
【図４０】
0006599151.tif 000041
【図４１】
0006599151.tif 000042